(57)【要約】      （修正有）【課題】これまでの限定的な経糸組織に変化をつけ、意匠性を加味するとともに、緯糸の織り込み技法であるスクイ技法を取り入れた織物を提供する。【解決手段】緯糸の一部が、幅方向の一部にわたって延びており且つ経糸の一部によって間隔を置いて織りこまれている織物。【効果】織物の一部が、通常の平織りよりも少ない本数で経糸によって組織するために、立体的な生地面を生むとともに、意匠にも立体的な表情を生むことができ、様々な織物分野に応用できる。  【選択図】        図２
2005307399.tif 000002
【特許請求の範囲】
【請求項１】
緯糸の一部が、幅方向の一部にわたって延びており且つ経糸の一部によって長さ方向に間隔を置いて織り込まれていることを特徴とする織物。
【発明の詳細な説明】
【技術分野】
【０００１】
本発明は、経糸と緯糸とによって構成された織物であり、緯糸の一部が、幅方向の一部にわたって延びており且つ経糸の一部によって間隔を置いて織りこまれている織物、即ち、浮花織の一種に関する。本発明の織物は、インテリアを始め、様々な分野で利用でき、小幅織物は元より広幅織物迄利用出来る高度な意匠織物に関する。
【背景技術】
【０００２】
広く知られている織物として、平織り、斜文織り、朱子織りがある。平織りと平織りの応用である畝織りとは下記のとおりに生成される。
【０００３】
平織りは、一般に、同じ太さの経糸と緯糸を用い、第１及び第２の綜絖を使用し、一本置きに第１及び第２の綜絖に経糸を通す。即ち、経糸は、幅全体にわたり「１２１２１２１２１２１２１２１２１２１２１２１２」となるように、１（第１の綜絖）と２（第２の綜絖）とに通される。
【０００４】
第１の綜絖が上げられ第２の綜絖が下げられて、第１の綜絖によって支持された第１の組の経糸と第２の綜絖によって支持された第２の組の経糸との間に、シャトルによって緯糸が通される第１の工程と、第１の綜絖が下げられ第２の綜絖が上げられて、第１の綜絖によって支持された第１の組の経糸と第２の綜絖によって支持された第２の組の経糸との間に、シャトルによって緯糸が通される第２の工程とが繰り返されて、平織りの織物が生成される。
【０００５】
畝織りは、一般に、経糸と同じ太さの緯糸と、経糸よりも太い緯糸との２種類の緯糸を使用し、第１、第２及び第３の綜絖を使用する。経糸は、幅全体にわたり、例えば、「１２１２１２１２１２１３１２１２１２１２１２１３１２１２１２１２１２１３１２１２１２１２１２１３１２１２１２１２１２１３１２１２１２１２１２１３」となるように、１（第１の綜絖）と２（第２の綜絖）と３（第３の綜絖）に通される。
【０００６】
即ち、基本的には、経糸は、第１の綜絖と第２の綜絖に交互に通されるが、経糸の１２本に１本第２の綜絖に通すべき経糸が第３の綜絖に通される。即ち、１１本間隔を置いて、経糸が、第３の綜絖に通される。畝織りを生成する際に、この間隔を何本にするかは、任意であり、その織物の意匠に依存する。
【０００７】
畝織りは下記のとおりに織り工程が行われる。
【０００８】
まず、第１の綜絖が上げられ第２の綜絖及び第３の綜絖が下げられて、第１の綜絖によって支持された第１の組の経糸と第２の綜絖及び第３の綜絖によって支持された第２の組の経糸との間に、シャトルによって緯糸が通される第１の工程と、第１の綜絖が下げられ第２の綜絖及び第３の綜絖が上げられて、第１の綜絖によって支持された第１の組の経糸と第２の綜絖及び第３の綜絖によって支持された第２の組の経糸との間に、シャトルによって緯糸が通される第２の工程とが繰り返されて、織物が生成される。第１及び第２の工程を繰り返すと、上記平織りが生成される。
【０００９】
第１及び第２の工程を繰り返して所定長さの平織りを生成した後、第１の綜絖及び第２の綜絖が下げられ第３の綜絖が上げられて、第１の綜絖及び第２の綜絖によって支持された第３の組の経糸と第３の綜絖によって支持された第４の組の経糸との間に、シャトルによって太い緯糸が通される第３の工程と、第１の綜絖が上げられ第２の綜絖及び第３の綜絖が下げられて、第１の綜絖によって支持された第１の組の経糸と第２の綜絖及び第３の綜絖によって支持された第２の組の経糸との間に、シャトルによって細い緯糸が通される第４の工程と、第１の綜絖が下げられ第２の綜絖及び第３の綜絖が上げられて、第１の綜絖によって支持された第１の組の経糸と第２の綜絖及び第３の綜絖によって支持された第２の組の経糸との間に、シャトルによって細い緯糸が通される第５工程とが行われる。
【００１０】
次いで、第１及び第２の工程を繰り返して、上記平織りが生成される。
【００１１】
このような畝織りの織り工程が行われると、平織り上に経糸方向（長さ方向）において間隔を置いて太い緯糸が配置されており、この太い緯糸が緯糸方向（幅方向）において間隔を置いて配置された経糸よって支持されている（即ち、１２本に１本の経糸によって支持されている）織物、即ち畝織り織物が生成される。
【００１２】
このような畝織りは、既に知られているが、この畝織は、緯糸が織物の幅全体に延び、幅全体にわたり経糸によって支持されているため、意匠の面において必ずしも斬新なものではなく、新たな構成を有す織物が求められていた。
【発明の開示】
【課題を解決するための手段】
【００１３】
本発明によると、上記のとおりの技術的課題が、綜絖を３枚に減らし、緯糸の一部が、幅方向の一部にわたって延びており且つ経糸の一部によって長さ方向に間隔を置いて織りこまれていることを特徴とする織物によって達成される。
【００１４】
本発明は、天然糸、あるいは化繊糸を使用し、主に反物の反末織付部分に活用されてきた畝織り技法に、意匠性を加えた経糸組織を構成し、機械織機及び手織機において模様を織り出す立体表現（花織及びスクイ技法）を取り入れた織布に関する。
【００１５】
機械織機に手織の技法を取り入れ、機械の能率性に手作業の技術を加味し、より高度な意匠性をもった織布を生産する。
【００１６】
これまでの畝織技法は織付用のみ活用された技術であり、通常の平織りにおける経糸組織に比べ、本数の少ない経糸で合糸された太糸の緯糸を一定に粗く織り込む手法で、経糸の密度を落とし、緯糸を際立たせるものでしかなく、極めて限定的な凹凸織りしか織ることができなかった。
【００１７】
畝織技法は主として織付用に活用されてきた技術であり、織物という織布技術においては付属的な技法でしかなかった。限定的な糸組織及び生地意匠しか考えられてこなかった。それを発展させることによって生地の新意匠を表現する新技法に高めている。又、従来の花織技法は、大半は機械織機及び手織機にて綜絖を４枚以上は使用し極めて複雑であったがその問題を合理的に解決する技法である。
【００１８】
これまでの限定的な経糸組織に変化をつけ、意匠性を加味すると共に、緯糸の織り込み技法であるスクイ技法を取り入れたものとなっている。
【００１９】
本発明によると、例えば、天然生糸（カラシ色をしている）をソーピングし、淡糊をつけ、乾燥させ、それを８本に合糸し、太糸を作り、これを太い緯糸として使用する。細い緯糸としては、地糸用の生成りの細い緯糸を単糸として使用する。
【００２０】
経糸の準備として、整経された経糸を綜絖に通す、「通し」という作業段階を行う。通常の平織りにおいては１本おきにそれぞれ二枚の綜絖に糸を通し、結果的に二枚の綜絖に経糸がそれぞれ通ることになるが、本発明においては、畝織りと同様に、３枚の綜絖、第１、第２及び第３の綜絖を使用する。
【００２１】
どのような形態で３つの綜絖に経糸をとおすかは、生成する織物の意匠によって種々異なるが、例えば、下記のとおりに行われる。
【００２２】
幅方向の右から左に多数本の経糸が並んでいる。第１の綜絖を通る経糸を「１」、第２の綜絖を通る経糸を「２」、第３の綜絖をとおる経糸「３」とすると、幅方向の右端から左にある領域においては、「１２１２１２１２１２１２１２１２１２１２１２１２」とする。次いで、左方向に、１２本に１本、第２の綜絖が第３の綜絖に変えられ、これが６回繰り返される。即ち、「１２１２１２１２１２１３１２１２１２１２１２１３１２１２１２１２１２１３１２１２１２１２１２１３１２１２１２１２１２１３１２１２１２１２１２１３」となる。次いで、４本に１本、第２の綜絖が第３の綜絖に変えられ、これが１０回繰り返される。即ち、「１２１３１２１３１２１３１２１３１２１３１２１３１２１３１２１３１２１３１２１３」とする。次いで、所定の幅にわたって、「１２１２１２１２１２１２１２１２１２１２１２１２」とする。織物の幅全体にわたり、このような形態を繰り返えす。
【００２３】
上記例は、３つの綜絖に経糸をどのように通すかの一例であり、例えば、どのような間隔で第３の綜絖に通すか、どの領域における経糸を第３の綜絖に通すかは、種々変えることができる。
【００２４】
例えば、上記のように経糸を綜絖に配置して、織物を生成する。
【００２５】
３つの綜絖を操作して、まず、長さ方向において所定の長さ平織りで織物を生成し、第３の綜絖を操作することによって、第３の綜絖によって支持された経糸によってのみ支持されるように意匠に合わせた例えば生糸の太い糸、色彩の面で目立つ糸等の緯糸を織り込む。
【００２６】
このとき、通常どおり、経糸の端から端まで通しきったり、途中まで入れた後、抜き出したり、途中から入れてとおしたり、途中から入れて途中から出したりしながら、必要な部分に緯糸による入れ柄を織りこむ。
【００２７】
緯糸は、幅方向の一部において、第３の綜絖によって支持された経糸の全てあるいは一部において支持される。
【発明の効果】
【００２８】
経糸の一部が、通常の平織りよりも少ない本数で経糸によって組織するために、立体的な生地面を生むとともに、意匠にも立体的な表情を生むことができ、様々な織物分野に応用できる。
【００２９】
更に、必要とする位置に必要とする意匠を織り出すことができ、自由な表現を可能にし、付加価値の高い織物を創造することができる。また、合理的に綜絖枚数を減らすことができる。
【実施例１】
【００３０】
本発明の実施例１によると、本発明の織りは、経糸と同じ太さの緯糸と経糸よりも太い緯糸の２種類の緯糸を使用し、第１、第２及び第３の綜絖を使用する。経糸は、まず、経糸は、幅方向に所定の幅にわたり「１２１２１２１２１２１２１２１２１２１２１２１２」となるように、１（第１の綜絖）と２（第２の綜絖）とに通され、幅方向の所定の領域において所定の幅にわたり、例えば、図１に示したとおり、「１２１２１２１２１２１３１２１２１３１２１２１２１２１２１３１２１２１３１２１２１２１２１２１３」となるように、１（第１の綜絖）と２（第２の綜絖）と３（第３の綜絖）に通され、次いで、経糸は、幅方向に所定の幅わたり「１２１２１２１２１２１２１２１２１２１２１２１２」となるように、１（第１の綜絖）と２（第２の綜絖）とに通される。第３の綜絖をどのように配置させるかは、意匠よって変わり任意であるが、この実施例においては、経糸が、幅方向の一部の領域においてのみ第３の綜絖に通される点において、畝織りと明確に区別される。
【００３１】
本発明の織りは、畝織りと同じである、即ち、下記のとおりに織り工程が行われる。
【００３２】
まず、第１の綜絖が上げられ第２の綜絖及び第３の綜絖が下げられて、第１の綜絖によって支持された第１の組の経糸と第２の綜絖及び第３の綜絖によって支持された第２の組の経糸との間に、シャトルによって緯糸が通される第１の工程と、第１の綜絖が下げられ第２の綜絖及び第３の綜絖が上げられて、第１の綜絖によって支持された第１の組の経糸と第２の綜絖及び第３の綜絖によって支持された第２の組の経糸との間に、シャトルによって緯糸が通される第２の工程とが繰り返されて、織物が生成される。第１及び第２の工程を繰り返すと、上記平織りが生成される。
【００３３】
第１及び第２の工程を繰り返して所定長さの平織りを生成した後、第１の綜絖及び第２の綜絖が下げられ第３の綜絖が上げられて、第１の綜絖及び第２の綜絖によって支持された第３の組の経糸と第３の綜絖によって支持された第４の組の経糸との間に、シャトルによって太い緯糸が通される第３の工程と、第１の綜絖が上げられ第２の綜絖及び第３の綜絖が下げられて、第１の綜絖によって支持された第１の組の経糸と第２の綜絖及び第３の綜絖によって支持された第２の組の経糸との間に、シャトルによって細い緯糸が通される第４の工程と、第１の綜絖が下げられ第２の綜絖及び第３の綜絖が上げられて、第１の綜絖によって支持された第１の組の経糸と第２の綜絖及び第３の綜絖によって支持された第２の組の経糸との間に、シャトルによって細い緯糸が通される第５工程とが行われる。第３工程、第４工程及び第５工程を１回のみ行っても、第３工程、第４工程及び第５工程を複数回行ってもよい。
【００３４】
次いで、第１及び第２の工程を繰り返して、上記平織りが生成される。このようにして織られた織物の断面は、例えば、図２のとおりになる。第１の綜絖によって支持された経糸１１、第２の綜絖によって支持された経糸１２、及び第３の綜絖によって支持された経糸１３は、図２に示したとおりに配置される。図２において、左側が送り出し側で、右側が巻き取り側になる。
【００３５】
このような本発明の織り工程が行われると、平織り上に経糸方向（長さ方向）において間隔を置いて太い緯糸が１本又は複数本配置された織物が生成される。この太い緯糸が緯糸（幅方向）において間隔を置いて配置された経糸よって支持されている（即ち、１２本に１本及び６本に１本の経糸によって支持されている）。更に、この太い緯糸は、幅方向の一部の領域における経糸によって支持されており、他の領域においては、この太い緯糸は、経糸によって支持されていない。
【００３６】
次いで、太い緯糸の経糸によって支持されている部分の左右を切断して除去し、経糸によって支持されている部分のみを残す。あるいは、太い緯糸の経糸によって支持されている部分の左右の若干の長さを残し、切断する。このように形成すると、太い緯糸は、経糸によって支持されている部分及び左右の自由になっている若干の長さの部分が残される。
【００３７】
図３は、本発明の１実施例に従う織物の組織図を示す。図３には、５行及び１８列が示されており、最も下の行が、第１工程の織りを示し、その上が第２工程の織りを示す。第１工程及び第２工程において平織りが行われる。第２工程の織りの上が第３工程の織りをしめす。第３工程において浮き織りが行われる。第３工程の織りの上が第４工程の織りを示し、その上の最も上の行が第５工程の織りを示す。第４工程及び第５工程において平織りが行われる。図３の左から７番目の列においては経糸が浮いており、左から１０番目の列においては経糸が沈んでいる。
【実施例２】
【００３８】
本発明の実施例２によると、本発明の織りは、経糸と同じ太さの緯糸と経糸よりも太い緯糸の２種類の緯糸を使用し、第１、第２及び第３の綜絖を使用する。まず、経糸は、幅方向に「１２１２１２１２１３１２１２１２１２１３１２１２１２１２１３１２１２１２１２１３１２１２１２１２１３１２１２１２１２１３」となるように、１（第１の綜絖）と２（第２の綜絖）と３（第３の綜絖）に通される。
【００３９】
本発明の実施例２では、下記のとおりに織り工程が行われる。
【００４０】
まず、第１の綜絖が上げられ第２の綜絖及び第３の綜絖が下げられて、第１の綜絖によって支持された第１の組の経糸と第２の綜絖及び第３の綜絖によって支持された第２の組の経糸との間に、シャトルによって緯糸が通される第１の工程と、第１の綜絖が下げられ第２の綜絖及び第３の綜絖が上げられて、第１の綜絖によって支持された第１の組の経糸と第２の綜絖によって支持された第２の組の経糸との間に、シャトルによって緯糸が通される第２の工程とが繰り返されて、織物が生成される。第１及び第２の工程を繰り返すと、上記平織りが生成される。
【００４１】
第１及び第２の工程を繰り返して所定長さの平織りを生成した後、第１の綜絖及び第２の綜絖が上げられ第３の綜絖が下げられて、第１の綜絖及び第２の綜絖によって支持された第３の組の経糸と第３の綜絖によって支持された第４の組の経糸との間に、幅方向の限られた領域のみにおいて、シャトルによって太い緯糸が通される第３の工程と、第１の綜絖が下げられ第２の綜絖及び第３の綜絖が上げられて、第１の綜絖によって支持された第１の組の経糸と第２の綜絖及び第３の綜絖によって支持された第２の組の経糸との間に、シャトルによって細い緯糸が通される第４の工程と、第１の綜絖が上げられ第２の綜絖及び第３の綜絖が下げられて、第１の綜絖によって支持された第１の組の経糸と第２の綜絖及び第３の綜絖によって支持された第２の組の経糸との間に、シャトルによって細い緯糸が通される第５工程が行われる。第３工程、第４工程及び第５工程を１回のみ行っても、第３工程、第４工程及び第５工程を複数回行ってもよい。第３工程、第４工程及び第５工程を複数回行う場合において、シャトルによって太い緯糸が通される幅方向の限られた領域の長さを変えることによって、種々の模様を形成することができる。
【００４２】
次いで、第１及び第２の工程を繰り返して、上記平織りが生成される。
【００４３】
このような本発明の織り工程が行われると、平織り上に経糸方向（長さ方向）において間隔を置いて太い緯糸が配置された織物が生成される。この太い緯糸が緯糸（幅方向）において間隔を置いて配置された経糸よって支持されている（即ち、１０本に１本の経糸によって支持されている）。更に、この太い緯糸は、幅方向の一部の領域における経糸によって支持されており、他の領域においては、この太い緯糸は、経糸によって支持されていない。
【００４４】
次いで、太い緯糸の経糸によって支持されている部分の左右を切断して除去し、経糸によって支持されている部分のみを残す。あるいは、太い緯糸の経糸によって支持されている部分の左右の若干の長さを残し、切断する。このように形成すると、太い緯糸は、経糸によって支持されている部分及び左右の自由になっている若干の長さの部分が残される。
【図面の簡単な説明】
【００４５】
【図１】第１、第２及び第３の綜絖を通る糸を示す図。
【図２】本発明の一実施例に従う緯糸の一部が織り込まれている織物の部分断面図。
【図３】本発明の一実施例に従う緯糸の一部が織り込まれている織物の組織図。
【符号の説明】
【００４６】
１１  第１の綜絖によって支持された経糸
１２  第２の綜絖によって支持された経糸
１３  第３の綜絖によって支持された経糸
【図１】
2005307399.tif 000003
【図２】
2005307399.tif 000004
【図３】
2005307399.tif 000005